(57)【要約】【課題】本発明は、安価な２in１タイプのトランスを搭載したインバーターを使用し、ＣＣＦＬの配置に工夫を加えることにより、光源の発熱により発生する液晶画面上部の輝度の低下を抑制し画面の輝度ムラを改善するとともに、中心輝度を規格に容易に合わせることができる。【解決手段】  液晶表示装置用バックライトユニットにおいて、２in1タイプトランスを搭載したインバーターと、横長の液晶表示画面の長手方向に地面と水平になるようにＣＣＦＬを４本以上偶数本配置し、１本のＣＣＦＬは液晶画面の中央に配置し、最下段に位置するＣＣＦＬとその内側に隣接するＣＣＦＬとのピッチが、最上段に位置するＣＣＦＬとその内側に隣接するＣＣＦＬのピッチよりも大きくなるような構造とする。【選択図】図１
2010123484.tif 000002
【特許請求の範囲】
【請求項１】
光源にＣＣＦＬを用いた液晶表示装置用バックライトユニットであって、
２in1タイプトランスを搭載したインバーターを使用し、
前記ＣＣＦＬは、前記横長の液晶表示画面の長手方向に、地面と水平になるように４本以上偶数本配置され、
前記ＣＣＦＬの１本は、前記液晶表示画面中心部分に対応する位置に配置され、
前記液晶表示装置の使用者が表示画面を見る際に最下段に位置する前記ＣＣＦＬと、その内側に隣接するＣＣＦＬまでのピッチが、最上段に位置する前記ＣＣＦＬとその内側に隣接するＣＣＦＬまでのピッチよりも大きいことを特徴とする液晶表示装置のバックライトユニット。
【請求項２】
光源にＣＣＦＬを用いた液晶表示装置用バックライトユニットであって、
２in1タイプトランスを搭載したインバーターを使用し、
前記ＣＣＦＬは、前記横長の液晶表示画面の長手方向に、地面と水平になるように４本以上偶数本配置され、
前記ＣＣＦＬの１本は、前記液晶表示画面中心部分に対応する位置に配置され、
前記液晶表示装置の使用者が表示画面を見る際に最下段に位置する前記ＣＣＦＬと、その内側に隣接するＣＣＦＬまでのピッチが、最上段に位置する前記ＣＣＦＬとその内側に隣接するＣＣＦＬまでのピッチよりも大きくなるように配置され、
前記最上段ＣＣＦＬおよび最下段ＣＣＦＬの中間に位置する複数のＣＣＦＬについては、隣接するＣＣＦＬ間のピッチは均等でなくてもよいことを特徴とする液晶表示装置のバックライトユニット。
【請求項３】
光源にＣＣＦＬを用いた液晶表示装置用バックライトユニットであって、
２in1タイプトランスを搭載したインバーターを使用し、
前記ＣＣＦＬは、前記横長の液晶表示画面の長手方向に、地面と水平になるように４本以上偶数本配置され、
前記ＣＣＦＬの１本は、前記液晶表示画面中心部分に対応する位置に配置され、
前記液晶表示装置の使用者が表示画面を見る際に液晶画面上半分に対応する位置に配置された前記ＣＣＦＬの本数は、液晶画面下半分に対応する位置に配置された前記ＣＣＦＬの本数よりも多くなることを特徴とする液晶表示装置のバックライトユニット。
【請求項４】
請求項１乃至３のいずれかに記載の前記液晶表示装置のバックライトユニットにおいて、
前記ＣＣＦＬは、２本のストレート型ＣＣＦＬを連結して擬似的Ｕ字形状とした、擬似Ｕ字型ＣＣＦＬ、もしくはＵ字型ＣＣＦＬであることを特徴とする液晶表示装置のバックライトユニット。
【請求項５】
請求項１乃至４のいずれかに記載の前記液晶表示装置のバックライトユニットを有することを特徴とする液晶表示装置。
【請求項６】
光源に前記２本のストレート型ＣＣＦＬを連結して擬似的Ｕ字形状とした、擬似Ｕ字型ＣＣＦＬ、もしくはＵ字型ＣＣＦＬ、を用いた液晶表示装置用バックライトユニットの製造方法であって、
２in1タイプトランスを搭載したインバーターを使用する工程と
前記ＣＣＦＬを前記横長の液晶表示画面の長手方向に、地面と水平になるように４本以上偶数本配置するとともに、１本を前記液晶表示画面中心部分に対応する位置に配置する工程と、
前記液晶表示装置の使用者が表示画面を見る際に最下段に位置する前記ＣＣＦＬと、その内側に隣接するＣＣＦＬまでのピッチが、最上段に位置する前記ＣＣＦＬとその内側に隣接するＣＣＦＬまでのピッチよりも大きくなるように前記ＣＣＦＬを配置する工程と、を有することを特徴とする液晶表示装置用バックライトユニットの製造方法。
【請求項７】
光源に２本のストレート型ＣＣＦＬを連結し擬似的Ｕ字形状とした、擬似Ｕ字型ＣＣＦＬ、もしくはＵ字型ＣＣＦＬ、を用いた液晶表示装置用バックライトユニットの製造方法であって、
２in1タイプトランスを搭載したインバーターを使用する工程と
前記ＣＣＦＬを前記横長の液晶表示画面の長手方向に、地面と水平になるように４本以上偶数本配置するとともに、１本を前記液晶表示画面中心部分に対応する位置に配置する工程と、
前記液晶表示装置の使用者が表示画面を見る際に最下段に位置する前記ＣＣＦＬと、その内側に隣接するＣＣＦＬまでのピッチが、最上段に位置する前記ＣＣＦＬとその内側に隣接するＣＣＦＬまでのピッチよりも大きくなるように前記ＣＣＦＬを配置する工程と、
前記最上段ＣＣＦＬおよび最下段ＣＣＦＬの中間に位置する複数のＣＣＦＬを、隣接するＣＣＦＬ間のピッチを均等でなく配置する工程と、を有することを特徴とする液晶表示装置用バックライトユニットの製造方法。
【請求項８】
光源に２本のストレート型ＣＣＦＬを連結し擬似的Ｕ字形状とした、擬似Ｕ字型ＣＣＦＬ、もしくはＵ字型ＣＣＦＬ、を用いた液晶表示装置用バックライトユニットの製造方法であって、
２in1タイプトランスを搭載したインバーターを使用する工程と
前記ＣＣＦＬを前記横長の液晶表示画面の長手方向に、地面と水平になるように４本以上偶数本配置するとともに、１本を前記液晶表示画面中心部分に対応する位置に配置する工程と、
前記液晶表示装置の使用者が表示画面を見る際に液晶画面上半分に対応する位置に配置される前記ＣＣＦＬの本数が、液晶画面下半分に対応する位置に配置される前記ＣＣＦＬの本数よりも多くなるように前記ＣＣＦＬを配置する工程と、を有することを特徴とする液晶表示装置のバックライトユニットの製造方法。
【発明の詳細な説明】
【技術分野】
【０００１】
本発明は、液晶表示装置に用いるバックライト装置に関する。
【背景技術】
【０００２】
近年、液晶パネルの需要が急増し、その結果として厳しい低価格競争となり、各社は厳しいコスト削減を余儀なくされている。また液晶テレビにおいても、世界規模で通常の薄型テレビから、壁掛け液晶テレビへと移り変わる傾向にあり、薄型化が加速されている。
【０００３】
液晶表示装置の薄型化を実現するためには、バックライト装置の薄型化が必須であり、バックライトの光源としては、省電力で高輝度の特徴を有するＣＣＦＬが主に使用されている。
【０００４】
【特許文献１】特開２００４−２８７２２６
【発明の開示】
【発明が解決しようとする課題】
【０００５】
従来、コスト削減に有効な２本のストレート型ＣＣＦＬもしくは、１本のＵ字型ＣＣＦＬに対して１個のトランスを利用する２in 1タイプのインバータにおいては、バックライトに使われるＣＣＦＬの本数は偶数本となり、ＣＣＦＬピッチを均等にしてＣＣＦＬを配置した場合に画面中心部にＣＣＦＬが配置されないという問題があった。
【０００６】
図３は、従来の２in 1タイプのインバータトランスとストレート型ＣＣＦＬの接続の概要を示した概略図である。
【０００７】
図３において、３２０は２in 1タイプのインバータトランスであり、１個の２in 1タイプのインバータトランス３２０は、２本のストレート型ＣＣＦＬ３１１，３１２に対して利用されている。同様に、他５個のトランスについても、それぞれ２本のストレート型ＣＣＦＬ（配線で２本を連結している）に対して利用されている。３２３は横長の液晶表示画面の長辺の長さ７００ｍｍであり、３２４は短辺の長さ４００ｍｍである。３２５，３２６は表示画面の対角線であり、３２２は対角線の交点、すなわち液晶表示画面の中心部分に対応する位置である。図３では１２本のストレート型ＣＣＦＬのいずれも３２２を通る位置には配置されていない。
【０００８】
また最下段ＣＣＦＬと画面長辺３１３との距離３０２、および最上段ＣＣＦＬと画面長辺３１４との距離３０３はそれぞれ２６ｍｍである。３０１は１２本のストレート型ＣＣＦＬ間ピッチを示し、すべて３２ｍｍで一定であり、ＣＣＦＬは均等に配置される構造となっている。なお図３では１２本のＣＣＦＬが配置されているが、配置されるＣＣＦＬの本数は単なる例示であり、これに限定されない。
【０００９】
光源の発する熱が画面上部に籠もることにより、画面下部に比べ画面上部は輝度効率が悪くなり易いため、このようなＣＣＦＬの均等配置の場合には画面に輝度ムラを生じる。しかしながら、本発明のＣＣＦＬ配置では、熱で効率の悪くなる画面上部に光源を多く配置することによって画面上部の輝度の低下を補うために画面の輝度ムラを解消することができる。
【００１０】
また１本のＣＣＦＬが画面中心部分に対応する位置３２２を通る配置としているため、輝度測定の際に適正な輝度値を期待できる。
【００１１】
図４は、従来の２in 1タイプのインバータトランスとＵ字型ＣＣＦＬの接続の概要を示した概略図である。
【００１２】
図４は、図３と異なり、光源としてＵ字型ＣＣＦＬを使用しているが、それ以外の点は図３と同様である。図３と同様に、安価な２in 1タイプのインバータトランス４２０を使用し、各ＣＣＦＬは均等に配置され、画面中心部分４２２にＣＣＦＬは配置されない構造となっている。したがって図３と同様の理由で画面に輝度ムラを生じやすい。しかしながら、本発明のＣＣＦＬ配置では、光源の発する熱で効率の悪くなる画面上部に、光源を多く配置することによって画面上部の輝度低下を補い、画面の輝度ムラを解消することができる。また１本のＣＣＦＬが画面中心部分に対応する位置を通る配置であるため、輝度測定の際に適正な値を期待できる。
【００１３】
ＣＣＦＬの配置に際し、ＣＣＦＬピッチを不均等として、画面中心の輝度の向上を図った例としては、特開２００４−２８７２２６がある。しかしながら、ここではバックライトの光源の発熱により生じる、画面上部の熱の籠りに起因する画面上部の輝度ムラに関しては、対策が施されていない。また、ここでは画面中央部にＣＣＦＬが配置されているものの、使用されているＣＣＦＬは奇数本であって、安価な２in 1タイプのインバータトランスを使用していない。
【００１４】
発明者は、液晶表示装置のバックライトに、安価な２in 1タイプのトランスを搭載したインバータを用い、光源には２本を配線で連結したストレート型ＣＣＦＬまたはＵ字型ＣＣＦＬを使用し、ＣＣＦＬの配置に工夫を加えることにより、光源の発熱により発生する画面上部の輝度ムラを改善するとともに、中心輝度をTCO’06 Media Displays Ver.1.2/ B.2.3.1 Luminance level の規格に容易に合わせることができることに着目した。
【課題を解決するための手段】
【００１５】
請求項１に記載の発明は、光源にＣＣＦＬを用いた液晶表示装置用バックライトユニットであって、
２in1タイプトランスを搭載したインバーターを使用し、
前記ＣＣＦＬは、前記横長の液晶表示画面の長手方向に、地面と水平になるように４本以上偶数本配置され、
前記ＣＣＦＬの１本は、前記液晶表示画面中心部分に対応する位置に配置され、
前記液晶表示装置の使用者が表示画面を見る際に最下段に位置する前記ＣＣＦＬと、その内側に隣接するＣＣＦＬまでのピッチが、最上段に位置する前記ＣＣＦＬとその内側に隣接するＣＣＦＬまでのピッチよりも大きいことを特徴とする。
【００１６】
請求項２に記載の発明は、光源にＣＣＦＬを用いた液晶表示装置用バックライトユニットであって、
２in1タイプトランスを搭載したインバーターを使用し、
前記ＣＣＦＬは、前記横長の液晶表示画面の長手方向に、地面と水平になるように４本以上偶数本配置され、
前記ＣＣＦＬの１本は、前記液晶表示画面中心部分に対応する位置に配置され、
前記液晶表示装置の使用者が表示画面を見る際に最下段に位置する前記ＣＣＦＬと、その内側に隣接するＣＣＦＬまでのピッチが、最上段に位置する前記ＣＣＦＬとその内側に隣接するＣＣＦＬまでのピッチよりも大きくなるように配置され、
前記最上段ＣＣＦＬおよび最下段ＣＣＦＬの中間に位置する複数のＣＣＦＬについては、隣接するＣＣＦＬ間のピッチは均等でなくてもよいことを特徴とする。
【００１７】
請求項３に記載の発明は、光源にＣＣＦＬを用いた液晶表示装置用バックライトユニットであって、
２in1タイプトランスを搭載したインバーターを使用し、
前記ＣＣＦＬは、前記横長の液晶表示画面の長手方向に、地面と水平になるように４本以上偶数本配置され、
前記ＣＣＦＬの１本は、前記液晶表示画面中心部分に対応する位置に配置され、
前記液晶表示装置の使用者が表示画面を見る際に液晶画面上半分に対応する位置に配置された前記ＣＣＦＬの本数は、液晶画面下半分に対応する位置に配置された前記ＣＣＦＬの本数よりも多くなることを特徴とする。
【００１８】
請求項４に記載の発明は、請求項１乃至３のいずれかに記載の前記液晶表示装置のバックライトユニットにおいて、
前記ＣＣＦＬは、２本のストレート型ＣＣＦＬを連結して擬似的Ｕ字形状とした、擬似Ｕ字型ＣＣＦＬ、もしくはＵ字型ＣＣＦＬであることを特徴とする。
【００１９】
請求項５に記載の発明は、液晶表示装置において、請求項１乃至４のいずれかに記載の前記液晶表示装置のバックライトユニットを有することを特徴とする。
【００２０】
請求項６に記載の発明は、光源に前記２本のストレート型ＣＣＦＬを連結して擬似的Ｕ字形状とした、擬似Ｕ字型ＣＣＦＬ、もしくはＵ字型ＣＣＦＬ、を用いた液晶表示装置用バックライトユニットの製造方法であって、
２in1タイプトランスを搭載したインバーターを使用する工程と
前記ＣＣＦＬを前記横長の液晶表示画面の長手方向に、地面と水平になるように４本以上偶数本配置するとともに、１本を前記液晶表示画面中心部分に対応する位置に配置する工程と、
前記液晶表示装置の使用者が表示画面を見る際に最下段に位置する前記ＣＣＦＬと、その内側に隣接するＣＣＦＬまでのピッチが、最上段に位置する前記ＣＣＦＬとその内側に隣接するＣＣＦＬまでのピッチよりも大きくなるように前記ＣＣＦＬを配置する工程と、を有することを特徴とする。
【００２１】
請求項７に記載の発明は、光源に２本のストレート型ＣＣＦＬを連結し擬似的Ｕ字形状としたもの、もしくはＵ字型ＣＣＦＬ、を用いた液晶表示装置用バックライトユニットの製造方法であって、
２in1タイプトランスを搭載したインバーターを使用する工程と
前記ＣＣＦＬを前記横長の液晶表示画面の長手方向に、地面と水平になるように４本以上偶数本配置するとともに、１本を前記液晶表示画面中心部分に対応する位置に配置する工程と、
前記液晶表示装置の使用者が表示画面を見る際に最下段に位置する前記ＣＣＦＬと、その内側に隣接するＣＣＦＬまでのピッチが、最上段に位置する前記ＣＣＦＬとその内側に隣接するＣＣＦＬまでのピッチよりも大きくなるように前記ＣＣＦＬを配置する工程と、
前記最上段ＣＣＦＬおよび最下段ＣＣＦＬの中間に位置する複数のＣＣＦＬを、隣接するＣＣＦＬ間のピッチを均等でなく配置する工程と、を有することを特徴とする。
【００２２】
請求項８に記載の発明は、光源に２本のストレート型ＣＣＦＬを連結し擬似的Ｕ字形状としたもの、もしくはＵ字型ＣＣＦＬ、を用いた液晶表示装置用バックライトユニットの製造方法であって、
２in1タイプトランスを搭載したインバーターを使用する工程と
前記ＣＣＦＬを前記横長の液晶表示画面の長手方向に、地面と水平になるように４本以上偶数本配置するとともに、１本を前記液晶表示画面中心部分に対応する位置に配置する工程と、
前記液晶表示装置の使用者が表示画面を見る際に液晶画面上半分に対応する位置に配置される前記ＣＣＦＬの本数が、液晶画面下半分に対応する位置に配置される前記ＣＣＦＬの本数よりも多くなるように前記ＣＣＦＬを配置する工程と、を有することを特徴とする。
【発明の効果】
【００２３】
本発明に係るバックライトユニットによれば、安価な２in１タイプのトランスを搭載したインバーターを使用して液晶テレビのコスト削減が可能になる上、ＣＣＦＬの配置に工夫を加えることにより、光源の発熱により発生する液晶画面上部の輝度ムラを改善でき、更に、液晶画面中心部にＣＣＦＬを配置することによって、中心輝度をＴＣＯ’０６  Ｍｅｄｉａ  Ｄｉｓｐｌａｙｓ  Ｖｅｒ．１．２／Ｂ２．３．１  Ｌｕｍｉｎａｎｃｅ  ｌｅｖｅｌの規格に容易に合わせることができる。
【発明を実施するための最良の形態】
【００２４】
以下、図を参照しつつ、本発明を実施するための形態につき説明する。
【００２５】
図１は本発明の実施の形態１に係る液晶表示装置のバックライトユニットのＣＣＦＬの配置の概要を示す説明図である。
【００２６】
図１において、横長の液晶画面の大きさは、長辺（１２３）を７００ｍｍ、短辺を４００ｍｍとする。また１２４は短辺の長さの１／２の長さである。１２２は表示画面中心に対応する位置であって、対角線１２５と１２６との交点である。２本のストレート型ＣＣＦＬを配線で連結し擬似的Ｕ字形状としたものに対して、１個の２in1タイプトランス１２０がそれぞれ使用されている。なお、画面サイズ及び使用するＣＣＦＬの本数は単なる例示であって、これに限定されるものではない。
【００２７】
１３６は画面中心に対応する位置１２２を通るように、中央に配置されたＣＣＦＬである。これより画面下半分の領域１３０には５本のストレート型ＣＣＦＬが配置され、また画面上半分の領域１４０には６本のＣＣＦＬが配置される。領域１３０よりも領域１４０において配置されるＣＣＦＬの本数が多いことで、光源の発熱により画面上部に生じる輝度の低下が防止され、これによって光源効率の良い画面下部とのバランスがとれ、画面全体の輝度ムラが緩和される。
【００２８】
１０１，１０２，１０３，１０４，１０５，１０６，１０７，１０８，１０９，１１０，１１１は、それぞれ隣接するＣＣＦＬとのピッチを表し、１０１，１０２，１０３は２６ｍｍ、１０４，１０５，１０６，１０７は３２ｍｍ、１０８は３４ｍｍ、１０９，１１０，１１１は３６ｍｍである。また最下段ＣＣＦＬと画面長辺との距離１１２、および最上段ＣＣＦＬ１４１と画面長辺との距離１１３はそれぞれ２６ｍｍである。なお、ピッチの長さはこの数値に限定されるものではない。１０１は最上段ＣＣＦＬ１４１とその内側に隣接するＣＣＦＬ１４２とのピッチであり、最下段ＣＣＦＬ１３１とその内側に隣接するＣＣＦＬ１３２とのピッチ１１１と比較すると、１０１のほうが小さく、画面上段に向けてＣＣＦＬが密になるように配置されている。
【００２９】
また、図のように、最上段ＣＣＦＬと最下段ＣＣＦＬの中間に配置される１０２から１１１で示されるＣＣＦＬのピッチは、均等ではなく、中心にＣＣＦＬ（図１では１３６）を配置した後に、画面上部に向けてＣＣＦＬが密になるように適当なピッチを決めて配置される。バックライトはこのようなＣＣＦＬの配置構造を有することにより、光源の発熱により画面上部に生じる輝度の低下が防止され、これによって光源効率の良い画面下部とのバランスがとれ、画面の輝度ムラが緩和され得る。
【００３０】
図２は本発明の実施の形態２に係る液晶表示装置のバックライトユニットのＣＣＦＬの配置の概要を示す説明図である。
【００３１】
図２に示すように、実施の形態２に係る液晶表示装置のバックライトユニットにおいては図１と異なり、ＣＣＦＬにはストレート型ではなくＵ字形状型を使用する。
【００３２】
図１と同様に、横長の液晶画面の大きさは、長辺（２２３）を７００ｍｍ、短辺を４００ｍｍとする。２２２は表示画面中心に対応する位置であって、対角線２２５と２２６との交点である。１本のＵ字型ＣＣＦＬに対し、１個の２in1タイプトランス２２０がそれぞれ使用されている。図２では６本のＣＣＦＬに対し、６個の２in1タイプトランス２２０が使用されている。なお、画面サイズ及び使用されるＣＣＦＬの本数は単なる例示であって、これに限定されるものではない。
【００３３】
２３６は対角線２２５と２２６との交点２２２を通るように、中央に配置されたＣＣＦＬである。２３６のＵ字型ＣＣＦＬは、Ｕ字部分と２本の直管部分から形成されるが、上下２本の直管部分のうち上側１本が対角線２２５と２２６との交点２２２を通るように、画面中央に配置される。
【００３４】
他方、ＣＣＦＬ２３６の下側１本は、画面下半分の領域２３０に含まれ、領域２３０は２本のＵ字型ＣＣＦＬと２３６Ｕ字型ＣＣＦＬの下側直管部分を加えた、計５本のＣＣＦＬ直管部分から構成される。また画面上半分の領域２１０には３本のＵ字型ＣＣＦＬが配置され、領域２１０は６本のＣＣＦＬ直管部分から構成される。領域２３０よりも領域２１０において配置されるＣＣＦＬの本数（ＣＣＦＬ直管部分の本数）が多いことにより、光源の発熱により画面上部に生じる輝度の低下が抑制され、これによって光源効率の良い画面下部とのバランスがとれて、画面全体の輝度ムラが緩和され得る。
【００３５】
Ｕ字型ＣＣＦＬを構成する２本の直管部分の間の距離、即ちＣＣＦＬピッチは、２０１，２０３，２０５，２０７，２０９，２１１で示され、隣接するＵ字型ＣＣＦＬ間のピッチは、２０２，２０４，２０６，２０８，２１０で示される。図において、ピッチの長さは均等ではないことは、図１と同様であるため、ここでは省略する。２０１は最上段Ｕ字型ＣＣＦＬの上側直管部分と同ＣＣＦＬの下側直管部分とのピッチであり、２１１は最下段Ｕ字型ＣＣＦＬ上側直管部分と同ＣＣＦＬの下側直管部分とのピッチであり、両者の長さを比較すると、２０１のほうが２１１よりも小さい。
【００３６】
また、２０２から２１０までに示されるように、中間に位置するＣＣＦＬ（ＣＣＦＬ直管部分）のピッチは均等ではなく、画面中心に対応する位置に配置するＣＣＦＬ（図２では２３６の上側直管部分）を決めた後に、画面上部に向けてＣＣＦＬが密になるように適当な配分を決めてＣＣＦＬ配置を行う。バックライトはこのようなＣＣＦＬの配置構造を有することにより、光源の発熱により画面上部に生じる輝度の低下が防止され、これによって光源効率の良い画面下部とのバランスがとれ、画面の輝度ムラが緩和される。
【図面の簡単な説明】
【００３７】
【図１】本発明の実施の形態１に係る液晶表示装置のバックライトユニットのＣＣＦＬの配置の概要を示す説明図である。
【図２】本発明の実施の形態２に係る液晶表示装置のバックライトユニットのＣＣＦＬの配置の概要を示す説明図である。
【図３】従来のストレート型ＣＣＦＬの配置の概要を示した概略図である。
【図４】従来のＵ字型ＣＣＦＬの配置の概要を示した概略図である。
【符号の説明】
【００３８】
１０１      ＣＣＦＬ１４１とＣＣＦＬ１４２間ピッチ
１０２      ピッチ
１０３      ピッチ
１０４      ピッチ
１０５      ピッチ
１０６      ピッチ
１０７      ピッチ
１０８      ピッチ
１０９      ピッチ
１１０      ピッチ
１１１      ＣＣＦＬ１３２とＣＣＦＬ１３１間ピッチ
１１２      画面長辺と１３１間のピッチ
１１３      画面長辺と１４１間のピッチ
１２０      ２in1タイプトランス
１２２      １２５，１２６の交点であり画面中心部に対応する位置
１２３      画面長辺の長さ
１２４      画面短辺の長さの１／２
１２５      対角線
１２６      対角線
１３０      画面下半分に対応する領域
１３１      最下段ＣＣＦＬ
１３２      ＣＣＦＬ
１３６      １２２を通るＣＣＦＬ
１４０      画面上半分に対応する領域
１４１      最上段ＣＣＦＬ
１４２      ＣＣＦＬ
【図１】
2010123484.tif 000003
【図２】
2010123484.tif 000004
【図３】
2010123484.tif 000005
【図４】
2010123484.tif 000006